(57)【要約】【課題】ヤシ油由来の脂肪酸エステルに代わる天然物質を見出し、ヤシ油由来の脂肪酸エステル系溶剤に代えて当該天然物質を含む溶剤を用い、印刷適性・印刷効果は従来の脂肪酸エステル系溶剤使用のオフセット印刷インキと遜色無い環境対応型インキを提供する。【解決手段】天然物質であるひまし油に由来するセバシン酸のジエステルを溶剤として用いる。セバシン酸エステルとしては、以下の一般式（１）で表されるものを用いる。Ｒ１ＯＣＯ（ＣＨ２）８ＣＯＯＲ２・・・（１）［式（１）中Ｒ１及びＲ２は、それぞれ分岐を有してもよく不飽和結合を有してもよい炭化水素基であり、Ｒ１及びＲ２の炭素原子数の和は４から１８である。］【選択図】なし【特許請求の範囲】
【請求項１】
下記一般式（１）で表わされるセバシン酸ジエステルを１０から６０質量％含むことを特徴とするオフセット印刷インキ組成物。
Ｒ１ＯＣＯ（ＣＨ２）８ＣＯＯＲ２・・・（１）
［式（１）中Ｒ１及びＲ２は、それぞれ分岐を有してもよく不飽和結合を有してもよい炭化水素基であり、Ｒ１及びＲ２の炭素原子数の和は４から１８である。］
【請求項２】
前記一般式（１）で表されるセバシン酸ジエステルが、セバシン酸ジ２−エチルヘキシルである、請求項１に記載のオフセット印刷インキ組成物。
【請求項３】
前記一般式（１）で表されるセバシン酸ジエステルを２０〜５５質量％含むものである、請求項１又は２に記載のオフセット印刷インキ組成物。
【請求項４】
溶剤成分として、前記一般式（１）で表されるセバシン酸ジエステル及び植物油以外の溶剤を含まない、請求項１から３のいずれかに記載のオフセット印刷インキ組成物。
【請求項５】
請求項１から４のいずれかに記載のオフセット印刷インキ組成物を用いて得られる印刷物。
【発明の詳細な説明】
【技術分野】
【０００１】
本発明は、セバシン酸ジエステルを含むオフセット印刷インキ組成物に関する。
【背景技術】
【０００２】
従来より、オフセット印刷インキ用の溶剤として、石油留分から得られる石油系溶剤が用いられている。しかし、以前から、石油系溶剤は、石油資源を枯渇させることや作業環境を悪化させること等が指摘されていた。
【０００３】
オフセット印刷インキ業界は、これまでも地球環境や作業環境の改善に取り組んできた。従来のインキ溶剤にはその構成成分として芳香族系炭化水素が含まれていたが、現在ではパラフィン、ナフテンを主成分とした芳香族成分が１％以下のＡＦ（アロマフリー）溶剤の使用が一般的である。ＡＦ溶剤は低臭気，低皮膚刺激性，生分解性に優れているが、原料は従来の溶剤と同じ石油であることに変わりはない。
【０００４】
そこで、オフセット印刷インキにおいて、当該インキの溶剤である石油系溶剤の一部又は全部を、特定の組成構造を有する特定の脂肪酸エステル及び／又は脂肪族エーテルに置き換えることにより、従来型のオフセットインキと同等の乾燥性、印刷適性、印刷効果を有するオフセットインキが得られることが開示されている（例えば特許文献１又は２参照）。上記のように天然由来の成分を溶剤として用いることで、印刷物に残留する溶剤は皮膚刺激性が低く、化学物質過敏症の人に対しても不快感を与えないとされている。
【先行技術文献】
【特許文献】
【０００５】
【特許文献１】特開２００４−２０４２０２号公報
【特許文献２】特開２００４−２０４２０３号公報
【発明の概要】
【発明が解決しようとする課題】
【０００６】
ところで、上記の特許文献では、脂肪酸エステルの中でも、ヤシ油又はパーム核油に由来する脂肪酸エステルを好ましいものとして使用している。しかし、ヤシ油やパーム核油の原料となるヤシの栽培においては、近年、原生林を伐採して開墾された土地で、プランテーションによる栽培が行われており、環境破壊が問題となっている。
【０００７】
また、溶剤として脂肪族エーテルが含まれるものを用いた場合には、その脂肪族エーテル由来の不快な匂いが作業環境を悪化させることや、印刷物にわずかに臭気が残存することも問題となる。
【０００８】
以上のように、オフセット印刷インキに使用する溶剤の成分として、ヤシ油やパーム核油に由来する脂肪酸のエステルや、脂肪族エーテル溶剤に代わる天然物質に由来する溶剤成分が求められている。
【０００９】
本発明は上記課題を解決するためになされたものであり、その目的は、ヤシ油等に由来の脂肪酸のエステルや、脂肪族エーテル溶剤に代わる、天然物質に由来する溶剤成分を用い、印刷適性・印刷効果に優れる環境対応型のオフセット印刷インキ組成物及び環境対応型のオフセット印刷インキ組成物を用いた印刷物を提供することにある。
【課題を解決するための手段】
【００１０】
本発明者らは上記課題を解決するために鋭意研究を重ねた。その結果、ヤシ油等に由来する脂肪酸エステルの代わりに、荒地や乾燥地でも育成可能で原生林の伐採の問題等の少ない作物であるトウゴマに由来するひまし油のアルカリ開裂反応によって得られるセバシン酸のジエステルを溶剤成分として用いることによって、上記課題を解決できることを見出し、本願発明を完成するに至った。より具体的には本願発明は以下のものを提供する。
【００１１】
請求項１に記載のオフセット印刷インキ組成物は、下記一般式（１）で表わされるセバシン酸ジエステルを１０から６０質量％含むことを特徴とする。
Ｒ１ＯＣＯ（ＣＨ２）８ＣＯＯＲ２・・・（１）
［式（１）中Ｒ１及びＲ２は、それぞれ分岐を有してもよく不飽和結合を有してもよい炭化水素基であり、Ｒ１及びＲ２の炭素原子数の和は４から１８である。］
【００１２】
請求項２に記載のオフセット印刷インキ組成物は、前記一般式（１）で表されるセバシン酸ジエステルが、セバシン酸ジ２−エチルヘキシルであることを特徴とする。
【００１３】
請求項３に記載のオフセット印刷インキ組成物は、前記一般式（１）で表されるセバシン酸ジエステルを２０から５５質量％含むものであることを特徴とする。
【００１４】
請求項４に記載のオフセット印刷インキ組成物は、溶剤成分として、前記一般式（１）で表されるセバシン酸ジエステル及び植物油以外の溶剤を含まないことを特徴とする。
【００１５】
請求項５に記載の印刷物は、請求項１から４のいずれかに記載のオフセット印刷インキ組成物を用いて得られることを特徴とする。
【発明の効果】
【００１６】
本発明によれば、天然の油脂であるひまし油のアルカリ開裂反応によって得られるセバシン酸のジエステルを、オフセット印刷インキ組成物の溶剤成分として用いることで、印刷適性・印刷効果は従来の脂肪酸エステル及び／又は脂肪族エーテルを溶剤に使用するオフセット印刷インキと遜色無い環境対応型インキを得ることができる。
【００１７】
また、セバシン酸のジエステルを溶剤成分として含むオフセット印刷インキ組成物を用いることにより、印刷機のゴム材質からなるインキローラーやブランケットを膨潤させにくく、安定した印刷物を得ることができる。
【００１８】
本発明では、脂肪族エーテルを実質的に含まない天然物質に由来する溶剤成分を含む溶剤を使用するため、インキの製造現場においても溶剤の不快な臭いが低減され、作業環境が改善される。
【発明を実施するための形態】
【００１９】
以下、本発明の実施形態について詳細に説明するが、本発明は、以下の実施形態に何ら限定されるものではなく、本発明の目的の範囲内において、適宜変更を加えて実施することができる。なお、説明が重複する箇所については、適宜説明を省略する場合があるが、発明の要旨を限定するものではない。
【００２０】
＜オフセット印刷インキ＞
本発明のオフセット印刷インキは、ワニス用樹脂と溶剤とを含有する。
【００２１】
［ワニス用樹脂］
本発明に使用するワニス用樹脂としては、ロジンエステル樹脂、ロジン変性フェノール樹脂、マレイン酸変性ロジンエステル樹脂、アルキッド樹脂、ロジン変性アルキッド樹脂、ギルソナイト樹脂等が好ましく、より好ましくはロジンエステル樹脂及び／又はロジン変性フェノール樹脂が挙げられる。なお、本発明のインキ中の上記のワニス用樹脂の含有量は、好ましくは１５から５０質量％、より好ましくは２０から４０質量％、最も好ましくは２５から３５質量％である。
【００２２】
上記の好ましいロジンエステル樹脂は、樹脂の軟化点Ｈ（℃）が１２０℃≦Ｈ≦２１０℃、重量平均分子量Ｍｗが２０，０００≦Ｍｗ≦３００，０００、好ましくは軟化点が１４０℃≦Ｈ≦２００℃、重量平均分子量Ｍｗが５０，０００≦Ｍｗ≦２００，０００のものが挙げられる。上記のロジンエステル樹脂は、重合ロジンの導入や無水マレイン酸、フマル酸等の多塩基酸にて変性した変性ロジンエステル樹脂が好ましく使用される。
【００２３】
上記のロジンエステル樹脂の軟化点Ｈが上記の範囲であると、インキ塗膜の硬化性及びインキワニスを調製する際の作業性がより向上する。また、上記のロジンエステル樹脂の重量平均分子量Ｍｗが、上記範囲内であるとインキの流動性及び粘弾性がより優れたものとなる。
【００２４】
また、ロジン変性フェノール樹脂は、重量平均分子量Ｍｗが１０，０００≦Ｍｗ≦３００，０００、好ましくは重量平均分子量Ｍｗが３０，０００≦Ｍｗ≦２００，０００のものが使用される。上記のロジン変性フェノール樹脂の重量平均分子量Ｍｗが上記範囲であると、インキの流動性及び粘弾性がより優れたものとなる。
【００２５】
本発明のインキに使用するインキワニスは、上記のワニス用樹脂と溶剤に、必要に応じてゲル化剤等を配合して調製する。インキワニスの調製方法としては、例えば、上記のワニス用樹脂と、溶剤と、植物油とを窒素等の不活性ガス雰囲気下で２００℃にて３０分間加熱攪拌して、その後１５０℃に冷却後、ゲル化剤を配合して、さらに２００℃にて６０分間加熱攪拌して調製する方法等が挙げられる
【００２６】
上記のインキワニス中におけるワニス用樹脂の含有量としては、好ましくは２０から６０質量％、より好ましくは３０から５５質量％である。
【００２７】
［溶剤］
本発明のオフセット印刷インキ組成物は、溶剤成分として下記一般式（１）で表わされるセバシン酸ジエステルを含むものである。
Ｒ１ＯＣＯ（ＣＨ２）８ＣＯＯＲ２・・・（１）
［式（１）中Ｒ１及びＲ２は、それぞれ分岐を有してもよく不飽和結合を有してもよい炭化水素基であり、Ｒ１及びＲ２の炭素原子数の和は４から１８である。］
【００２８】
一般式（１）で表されるセバシン酸ジエステルは、ひまし油のアルカリ開裂反応等によって得られたセバシン酸と、一般式（１）における基Ｒ１及び基Ｒ２に対応するアルコール（Ｒ１−ＯＨ及びＲ２−ＯＨ）とを、エステル化触媒の存在下に反応させる等の常法に従って調製することができる。
【００２９】
本発明において、一般式（１）で表されるセバシン酸ジエステルとしては、分岐を有してもよく不飽和結合を有してもよい炭化水素基である基Ｒ１及び基Ｒ２を有し、基Ｒ１及び基Ｒ２の炭素原子数の和が４から１８であるものを用いる。このような基Ｒ１及び基Ｒ２のうち好適な基の具体例としては、メチル基、エチル基、ｎ−プロピル基、イソプロピル基、ｎ−ブチル基、イソブチル基、ｎ−ペンチル基、ｎ−ヘキシル基、ｎ−ヘプチル基、ｎ−オクチル基、２−エチルヘキシル基、１−メチルヘプチル基、ｎ−ノニル基、ｎ−デシル基等の飽和炭化水素基や、ビニル基、アリル基、２−ブテニル基、３−ブテニル基、３−ヘキセニル基、２−オクテニル基、３−オクテニル基、５−オクテニル基、７−オクテニル基、２，４−オクタジエニル基、２，５−オクタジエニル基、２，７−オクタジエニル基、５，７−オクタジエニル基等の不飽和炭化水素基が挙げられる。これらの炭化水素基の中では、保存時の品質の安定性に優れることから、炭素原子数２から１０の飽和炭化水素基がより好ましい。
【００３０】
これらの一般式（１）で表されるセバシン酸ジエステルの中では、得られるオフセット印刷インキ組成物が、乾燥性、印刷適性、印刷効果等がバランスよく優れることから、基Ｒが炭素原子数８の飽和炭化水素基であるものがより好ましく、セバシン酸ジ−２−エチルヘキシルを用いるのが最も好ましい。
【００３１】
また、一般式（１）で表されるセバシン酸ジエステルは、１種又は複数種を組み合わせて用いることができる。
【００３２】
一般式（１）で表されるセバシン酸ジエステルを溶剤として用いることで、石油由来の溶剤を用いた場合と比較して皮膚刺激性が低く、従来のヤシ油由来の溶剤と同じ程度に化学物質過敏症の人に対して不快感を与えないオフセット印刷インキを調製できる。
【００３３】
通常のオフセット印刷の印刷機に使用されるインキローラーやブランケットはゴム材質である。例えばＡＢＳ樹脂等が挙げられる。このようなゴム材質は溶剤を吸収し膨潤しやすいものである。従来、使用されているヤシ油等の天然の油脂に由来する脂肪酸のエステルの中でも比較的分子量の小さいものは、前記のゴム材質の部品を膨潤させやすい傾向があり、一般式（１）で表されるセバシン酸のジエステルについても、例えばセバシン酸ジメチルエステル等、エステルを構成する基Ｒ１及び基Ｒ２の炭素原子数の和が２から３と短い場合には、ゴム材質の部品を膨潤させやすい問題がある。
【００３４】
しかし、一般式（１）で表されるセバシン酸ジエステルを溶剤に用いることで、ヤシ油等の天然の油脂に由来する脂肪酸のエステルと比較してゴム材質が膨潤せず、結果として印刷適性・印刷効果は従来の脂肪酸エステル及び／又は脂肪族エーテルを溶剤に使用するオフセット印刷インキと遜色無い、環境対応型インキを得ることができる。
【００３５】
本発明のオフセット印刷インキ組成物は、一般式（１）で表されるセバシン酸ジエステルを１０から６０質量％含むものであり、より好ましくは２０から５５質量％含むものであり、最も好ましくは２０から５０質量％含むものである。一般式（１）で表されるセバシン酸ジエステルの含有量が多すぎる場合には、オフセット印刷インキ組成物の機上安定性や乾燥性が劣る傾向がある。
【００３６】
本発明の、オフセット印刷インキ組成物は、溶剤としてさらに植物油を含むものであってもよい。
【００３７】
上記の植物油としては、例えば、ヒマシ油、落花生油、オリーブ油等の不乾性油、大豆油、綿実油、菜種油、ゴマ油、コーン油等の半乾性油、及びアマニ油、エノ油、キリ油等の乾性油等、好ましくは半乾性油及び／又は乾性油が挙げられる。これらの中でも大豆油、アマニ油が特に好ましい。
【００３８】
溶剤成分として植物油を用いる場合、オフセット印刷インキ中の植物油の含有量は、４０質量％以下であるのが好ましく、３５から５質量％であるのがより好ましく、３０から１０質量％であるのが最も好ましい。
【００３９】
ワニスの調製に用いる溶剤は、オフセット印刷インキ組成物中の一般式（１）で表されるセバシン酸ジエステルの含有量が所定の量を満たすものであれば、本発明の目的を損なわない範囲で、セバシン酸ジエステルの他の溶剤を用いることもできる。セバシン酸ジエステルの他の溶剤の例としては、例えば、脂肪酸エステルや脂肪族エーテルが挙げられる。
【００４０】
一般式（１）で表されるセバシン酸ジエステルとともに用いることができる脂肪酸エステルの具体例としては、カプリン酸、ラウリン酸、ミリスチン酸、パルミチン酸、ミリストレイン酸、パルミトレイン酸、ステアリン酸、オレイン酸、リノール酸、リノレン酸等の脂肪酸の、メチルエステル、エチルエステル、ｎ−プロピルエステル、イソプロピルエステル、ｎ−ブチルエステル、イソブチルエステル等が挙げられ、脂肪族エーテルの具体例としては、ジ−ｎ−オクチルエーテル、ジノニルエーテル、ジヘプチルエーテル、ジヘキシルエーテル、ノニルヘキシルエーテル、ノニルヘプチルエーテル、ノニルオクチルエーテル等が挙げられる。
【００４１】
なお、上記のゴム材質の膨潤の問題や、臭気の問題等から、本発明のオフセット印刷インキ組成物は一般式（１）で表されるセバシン酸ジエステル及び植物油以外の溶剤を含まないものであるのが特に好ましい。
【００４２】
［その他の成分］
本発明のオフセット印刷インキに使用するインキワニスは、上記のワニス用樹脂と溶剤に必要に応じてゲル化剤を配合して調製する。
【００４３】
上記のゲル化剤としては、公知の物を使用することができ、例えば、アルミニウムエチルアセテートジイソプロピレート、アルミニウムイソプロピレート、ステアリン酸アルミニウム、エチルアセトアセテートアルミニウムジイソプロピレート、アルミニウムジイソプロポキサイト、エチルアセトアセテートアルミニウムジイソプロポキシド等、及びそれらの混合物が挙げられ、好ましくはエチルアセトアセテートアルミニウムジイソプロポキシドが好ましく使用され、川研ファインケミカル（株）からＡＬＣＨの商品名で入手して本発明で使用することができる。
【００４４】
前記ゲル化剤の使用量は、インキワニス中の含有量として０．１から５質量％が好ましく、０．５から３質量％であるのがより好ましい。
【００４５】
本発明のインキは、上記のインキワニスに着色剤を含有しないオーバープリントワニスタイプのものでもよいが、着色剤を含有するタイプのものでもよい。本発明に使用する上記の着色剤としては、例えば、酸化チタン、硫酸バリウム、炭酸カルシウム、亜鉛華、磁性酸化鉄等の無機顔料、レーキ顔料、アゾ系顔料、イソインドリン系顔料、フタロシアニン系顔料、キナクリドン系顔料、アントラキノン系顔料等の有機顔料、カーボンブラック及び染料が挙げられ、これらの１種又は２種以上を使用することができる。上記の着色剤のインキ中の含有量は、好ましくは５から４０質量％、より好ましくは１０から３０質量％、最も好ましくは１５から２５質量％である。
【００４６】
＜インキの製造方法＞
本発明のインキの製造方法としては、例えば、前記のインキワニスと、着色剤をミキサーでプレミキシングし、次に、３本ロールミルで均一に混練して、前記のインキワニスの調製に使用した溶剤及び／又は該ワニスを追加配合する等して、インキのタックを調製する。必要に応じてパラフィンワックス、ポリエチレンワックス、ポリテトラフルオロエチレンワックス等の耐摩擦剤及び可塑剤等の添加剤を本発明の目的を妨げない範囲で均一に混練配合して調製する。なお、本発明のインキ中のインキワニス含有量は、好ましくは５０から９０質量％、より好ましくは５５から８５質量％、最も好ましくは６０から８０質量％である。
【００４７】
以上のようにして得られる本発明のオフセット印刷インキ組成物は、印刷適性・印刷効果に優れる環境対応型インキであり、輪転オフセット、枚葉オフセット等オフセット印刷に好適に使用され、臭気等の問題のない良好な印刷物を与える。
【実施例】
【００４８】
［実施例１から３、比較例１、比較例２、及び参考例］
本発明で使用するセバシン酸ジエステルであるセバシン酸ジ−２−エチルヘキシル、比較例で使用するジオクチルエーテルとカプリル酸２−エチルヘキシルの混合溶剤及びセバシン酸ジメチル、並びに参考例として使用する石油系溶剤を使用した、ワニスａ１からａ６の調製例と、これらのワニスを使用したインキｂ１からｂ６について、実施例、比較例、及び参考例を挙げて本発明を具体的に説明する。なお、文中の「部」又は「％」とあるものは、特に断りのない限り質量基準である。以下に、実施例を挙げて本発明をさらに詳細に説明するが、本発明はこれらの実施例により限定されるものではない。
【００４９】
以下、実施例、比較例、参考例において使用した溶剤について説明する。
・セバシン酸ジ−２−エチルヘキシル（伊藤製油株式会社製、ＤＯＳ）
・セバシン酸ジメチル（伊藤製油株式会社製、ＤＭＳ−Ｃ）
・ジオクチルエーテル（試薬）
・カプリル酸２−エチルヘキシル（試薬）
・石油系溶剤（試薬）
【００５０】
（ワニスの調製例ａ１）
ワニス用樹脂として重量平均分子量が６０，０００のロジン変性フェノール樹脂を用い、溶剤としてセバシン酸ジ−２−エチルヘキシルを用い、表１に記載の量のワニス用樹脂、大豆油、及び溶剤を窒素気流雰囲気下で２００℃にて３０分間加熱攪拌し、その後１５０℃に冷却し、その後、ゲル化剤（ＡＬＣＨ）を配合して、さらに２００℃にて６０分間均一に加熱攪拌してワニスａ１を調製した。
【００５１】
（ワニスの調製例ａ２）
前記のワニスの調製例ａ１において使用する溶剤の量を変える以外は、ワニス調製例ａ１と同様にしてワニスａ２を調製した。
【００５２】
（ワニスの調製例ａ３）
前記のワニスの調製例ａ１において使用する溶剤の量を変える以外は、ワニス調製例ａ１と同様にしてワニスａ３を調製した。
【００５３】
（ワニスの調製例ａ４）
前記のワニスの調製例ａ１において使用する溶剤を表１に記載のジオクチルエーテルとヤシ由来の溶剤であるカプリル酸−２−エチルヘキシルの混合溶剤に変える以外は、ワニス調製例ａ１と同様にしてワニスａ４を調製した。
【００５４】
（ワニスの調製例ａ５）
前記のワニスの調製例ａ１において使用する溶剤をセバシン酸ジメチルに変える以外は、ワニス調製例ａ１と同様にしてワニスａ５を調製した。
【００５５】
（ワニスの調製例ａ６）
前記のワニスの調製例ａ１において使用する溶剤を石油系溶剤に変える以外は、ワニス調製例ａ１と同様にしてワニスａ６を調製した。
【００５６】
【表１】
2011074277.tif 000002
上記表１中の数値は部数を表わす。
【００５７】
（インキ調製）
上記のようにして調製されたａ１からａ６のワニス各６５部と、フタロシアニンブルー１８部とを配合し、次に、インキのタックがインコメーター測定値で１０から１１になるように、さらに、上記ａ１からａ６のワニス及び各溶剤を追加配合し、均一に混練してインキｂ１からｂ６を調製した。なお、上記のタック値は、得られたインキ１．３ｍｌを東洋精機（株）製インコメーターのロール上に塗布し、ロール温度３２℃、回転スピード１，２００ｒｐｍで回転させ、１分後の測定値である。
【００５８】
なお、実施例１から３で得られたインキのセバシン酸ジ−２−エチルヘキシルの含有量は、インキｂ１で３０質量％であり、インキｂ２で４０質量％であり、インキｂ３で５０質量％であった。また、実施例１〜３で得られたインキの大豆油の含有量は、ｂ１、ｂ２、ｂ３いずれも１５質量％であった。
【００５９】
＜評価例＞
上記、実施例、比較例、及び参考例で得られた各々のインキについて、印刷機上でのインキの蒸発乾燥性と、機上安定性及び膨潤性に関して下記の測定方法により評価した。
【００６０】
［蒸発乾燥性］
各々のインキ０．１２５ｍｌを、石川島産業（株）製のＲＩテスター２分割ロールを用いてトップコート紙に展色して、印刷試料片を作製する。次に、温度調整可能なオーブンを用いて、上記の印刷資料片を加熱し、紙面温度を操作してインキ塗膜を乾燥固化させる。加熱後、印刷試料片を１分間放冷し、放冷した印刷試料片のインキ面を学振型耐磨耗性試験機にて表面を白紙で擦り、色落ちしない時の紙面乾燥温度を測定した。評価結果を表２に示す。
【００６１】
［機上安定性］
上記の各々のインキ０．５ｍｌを東洋精機（株）製インコメーターに塗布し、ロール温度３２℃、回転スピード１，２００ｒｐｍに設定してロールを回転させ、測定初期のタック値と、その１分後のタック値を読み取り、タック値の経時的な変動（初期値との差ΔＴ）を測定した。評価結果を表２に示す。
【００６２】
［膨潤性］
上記の各々のインキをゴムブランケット片（ディインターナショナル社製、ディブラン３０００−４）の表面にヘラで適量塗布し、常温にて２４時間放置後、インキを拭き取りブランケット表面の膨潤の状況を下記の基準により評価した。評価結果を表２に示す。
○：ブランケット表面に膨れや軟化現象は認められない。
△：ブランケット表面に膨れや軟化現象がわずかに認められる。
×：ブランケット表面の全面又は部分的に膨れや軟化現象が認められる。
【００６３】
［臭いの評価］
実施例及び比較例の印刷物を、評価するメンバー１０人に無作為に渡し、異臭の有無を評価した。評価は、異臭無し、若干異臭有り、異臭有りの三段階評価とした。最も多い評価を表２に示した。ここで、「異臭なし」は、印刷物を嗅いだときに臭いに全く違和感が無かった場合の評価であり、「若干異臭有り」は、印刷物の嗅いだときに臭いに若干違和感があった場合の評価であり、「異臭あり」は、印刷物を嗅いだときに、耐えられないほどの異臭を感じた場合の評価である。
【００６４】
【表２】
2011074277.tif 000003
【００６５】
表２から分かるように、実施例１から３の本発明のインキは、比較例１の従来の脂肪酸エステルとエーテル系溶剤の混合溶剤を用いたインキと比較し、印刷適性・印刷効果（乾燥性、機上安定性）について遜色ないものであり、ゴム膨潤が少なく、印刷物の臭気もないものであることが確認された。
【００６６】
また、実施例１から３で用いたセバシン酸２−ジエチルヘキシルとは異なり、セバシン酸の短鎖アルキルエステルであるセバシン酸ジメチルを溶剤に用いた比較例２のインキについては、適度な乾燥性を有さず、また機上安定性、ゴム膨潤性、及び印刷物の臭気に劣るものであることが確認された。